(57)【要約】【課題】可変情報を印刷した頁がある場合であっても、見落とされにくく、読みやすい冊子を提供する。【解決手段】カタログ１は、固定情報として商品情報１１ａ，１１ｂ等が印刷された商品情報印刷頁１１等を有する第１のシート１０と、固定情報として商品情報２２ａ，２２ｂ等が印刷された商品情報印刷頁２２等を有する第１のシート２０と、２枚の第１のシート１０，２０に挟まれ、商品情報印刷頁１１，２２と比較してカタログ１の背から小口方向への長さが半分（ｘ１＝ｘ０／２）であって、可変情報として個別の商品価格等の情報３１ａ，３２ａ等が印刷されている個別価格情報印刷頁３１，３２を有する第２のシート３０とを備えていて、個別価格情報印刷頁３１，３２が、めくり見開かれた位置で、表出している個別価格情報３２ａが、商品情報印刷頁１１，２２に表出している商品情報１１ａ，２２ｂに関連している。【選択図】図１
2006069189.tif 000002
【特許請求の範囲】
【請求項１】
固定情報が印刷された固定情報印刷頁を両面又は片面に有し、略中央に第１の折り部が形成された複数枚の第１のシートと、
可変情報が印刷された可変情報印刷頁を両面又は片面に有し、略中央に第２の折り部が形成され、前記第１のシートと層状に重ねられ、任意の層に丁合いされた少なくとも１枚の第２のシートと、
前記第１及び第２の折り部の位置で、前記第１のシートと前記第２のシートとを固定する固定部と、
を含む冊子。
【請求項２】
請求項１に記載の冊子において、
前記可変情報は、前記固定部を中心にして前記可変情報印刷頁を前側又は後ろ側の前記固定情報印刷頁に重ねてめくり見開かれた位置で前側及び／又は後ろ側の前記固定情報印刷頁に表出した前記固定情報に関連していること、
を特徴とする冊子。
【請求項３】
請求項１又は請求項２に記載の冊子において、
前記可変情報印刷頁は、前記固定情報印刷頁と比較して、背から略垂直方向の小口方向への長さ及び／又はこれと略直交する天地方向の長さが短いこと、
を特徴とする冊子。
【請求項４】
請求項１から請求項３までのいずれか１項に記載の冊子において、
前記可変情報印刷頁は、折り畳まれて袋状の袋状部を形成していること、
を特徴とする冊子。
【請求項５】
請求項１から請求項４までのいずれか１項に記載の冊子において、
前記可変情報印刷頁は、少なくとも一部を他から分離可能な分離予定線を有すること、
を特徴とする冊子。
【請求項６】
第１のシートに固定情報を印刷する第１の印刷工程と、
第２のシートに可変情報を印刷する第２の印刷工程と、
前記第１の印刷工程で印刷された第１のシートを略中央で折って第１の折り部を形成する第１の折り工程と、
前記第２の印刷工程で印刷された第２のシートを略中央で折って第２の折り部を形成する第２の折り工程と、
前記第１の折り工程で折り部を形成された複数枚の前記第１のシートを層状に重ねて丁合いするときに、前記第２の折り工程で折り部を形成された前記第２のシートを任意の層に割り込ませて丁合いする割り込み丁合い工程と、
前記割り込み丁合い工程で丁合いされた前記第１のシートと前記第２のシートとを、前記第１の折り部と前記第２の折り部とで固定する固定工程と、
を含む冊子の作製方法。
【請求項７】
第１のロール状シートに固定情報を印刷する第１の印刷工程と、
第２のロール状シートに可変情報を印刷する第２の印刷工程と、
前記第１の印刷工程で印刷された複数枚の第１のロール状シートを層状に重ねて丁合いするときに、前記第２の印刷工程で印刷された第２のロール状シートを任意の層に割り込ませて丁合いする割り込み丁合い工程と、
前記割り込み丁合い工程で丁合いされた前記第１及び第２のロール状シートを裁断する裁断工程と、
前記裁断工程で裁断された前記第１及び第２のロール状シートを略中央で折って折り部を形成する折り工程と、
前記裁断工程より後であって前記折り工程より前又は前記折り工程以降に、前記裁断工程で裁断された前記第１のロール状シートと前記第２のロール状シートとを前記略中央又は前記折り部で固定する固定工程と、
を含む冊子の作製方法。
【請求項８】
請求項６又は請求項７に記載の冊子の作製方法において、
前記第２の印刷工程で印刷された第２のシート又は第２のロール状シートを端側から内側方向に折り畳んで袋状の袋状部を形成する袋形成工程を備えること、
を特徴とする冊子の作製方法。
【請求項９】
請求項６から請求項８までのいずれか１項に記載の冊子の作製方法において、
前記第２の印刷工程で可変情報を印刷されて第２のシート又は第２のロール状シートに形成された可変情報印刷頁の少なくとも一部を他から分離可能な分離予定線を前記可変情報印刷頁に形成する分離予定線形成工程を備えること、
を特徴とする冊子の作製方法。
【発明の詳細な説明】
【技術分野】
【０００１】
本発明は、カタログやパンフレットなどの冊子及び冊子の作製方法に関するものである。
【背景技術】
【０００２】
従来、この種の冊子は、商品又はサービス（役務）の内容や価格等を記載したものであり、例えば、通信販売会社等が顧客に送付するなど、種々の分野で広く利用されている。
しかし、このような従来の冊子は、一部分の記載について修正等を行う場合であっても、修正部分等の記載も含め、全ての記載について原稿を改めて作成し直して印刷し、新たに冊子を作製する必要があった。例えば、商品等の価格を、内税による記載から、全て外税による記載に修正するような場合は、修正を要さない商品内容等の記載についても原稿を改めて作成し直さなければならず、また、価格改定の度に、原稿の全てを作成し直さなければならなかった。
これに対して、原稿の全ての修正をせずに、割引ポイントを反映させた顧客ごとの価格や店舗に応じた価格等を示す情報のみを修正したい場合は、別途これらの情報を印刷した頁を貼りこむ形態がとられていた。
しかし、このような形態は、既に綴じられ又は糊付けされている冊子に貼りこむので、手間がかかった。
従って、この手間を省くため、クーポン券等が記載されている頁を、冊子の最初や最終の頁に設ける形態がとられていたが、本文等が記載されている頁と離れている形態だったので、その都度頁をめくることを要し、見落とされやすく、読みにくいという問題があった。
【０００３】
そこで、この問題を解決するために、特許文献１は、カタログ部の厚みが薄く、直接プリンタが使用可能であれば、カタログ部の一部に宛名やメッセージを印字する領域を予め形成しておき、この領域に直接プリンタによって印字して作製する冊子を開示しているが、近年のノンインパクトプリンタは、印刷物の厚みが非常に薄くないと印字できないので、冊子自体への印字は実現が困難であった。
【特許文献１】特開平９−３９４３４号公報
【発明の開示】
【発明が解決しようとする課題】
【０００４】
本発明の第１の課題は、可変情報を印刷した頁がある場合であっても、見落とされにくく、読みやすい冊子を提供することである。
本発明の第２の課題は、厚みにかかわらず、可変情報を印刷した頁を任意の頁に容易に設けることができる冊子の作製方法を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、固定情報（１１ａ，１１ｂ，２２ａ，２２ｂ）が印刷された固定情報印刷頁（１１，２２）を両面又は片面に有し、略中央に第１の折り部（１５，２５）が形成された複数枚の第１のシート（１０，２０）と、可変情報（３１ａ，３２ａ）が印刷された可変情報印刷頁（３１，３２）を両面又は片面に有し、略中央に第２の折り部（３５）が形成され、前記第１のシートと層状に重ねられ、任意の層に丁合いされた少なくとも１枚の第２のシート（３０）と、前記第１及び第２の折り部の位置で、前記第１のシートと前記第２のシートとを固定する固定部（４０）と、を含む冊子である。
請求項２の発明は、請求項１に記載の冊子において、前記可変情報（３１ａ，３２ａ）は、前記固定部（４０）を中心にして前記可変情報印刷頁（３１，３２）を前側又は後ろ側の前記固定情報印刷頁（１１，２２）に重ねてめくり見開かれた位置で前側及び／又は後ろ側の前記固定情報印刷頁（１１，２２）に表出した前記固定情報（１１ａ，１１ｂ，２２ａ，２２ｂ）に関連していること、を特徴とする冊子である。
請求項３の発明は、請求項１又は請求項２に記載の冊子において、前記可変情報印刷頁（３１，３２）は、前記固定情報印刷頁（１１，２２）と比較して、背から略垂直方向の小口方向への長さ（ｘ０）及び／又はこれと略直交する天地方向の長さが短い（ｘ１）こと、を特徴とする冊子である。
請求項４の発明は、請求項１から請求項３までのいずれか１項に記載の冊子において、前記可変情報印刷頁（３１，３２）は、折り畳まれて袋状の袋状部（３４）を形成していること、を特徴とする冊子である。
請求項５の発明は、請求項１から請求項４までのいずれか１項に記載の冊子において、前記可変情報印刷頁（３１，３２）は、少なくとも一部を他から分離可能な分離予定線（３３）を有すること、を特徴とする冊子である。
請求項６の発明は、第１のシート（１０，２０）に固定情報（１１ａ，１１ｂ，２２ａ，２２ｂ）を印刷する第１の印刷工程（＃１０１）と、第２のシート（３０）に可変情報（３１ａ，３２ａ）を印刷する第２の印刷工程（＃１０３）と、前記第１の印刷工程（＃１０１）で印刷された第１のシート（１０，２０）を略中央で折って第１の折り部（１５，２５）を形成する第１の折り工程（＃１０２）と、前記第２の印刷工程（＃１０３）で印刷された第２のシート（３０）を略中央で折って第２の折り部（３５）を形成する第２の折り工程（＃１０５）と、前記第１の折り工程（＃１０２）で折り部（１５，２５）を形成された複数枚の前記第１のシート（１０，２０）を層状に重ねて丁合いするときに、前記第２の折り工程（＃１０５）で折り部（３５）を形成された前記第２のシート（３０）を任意の層に割り込ませて丁合いする割り込み丁合い工程（＃１０６）と、前記割り込み丁合い工程（＃１０６）で丁合いされた前記第１のシート（１０，２０）と前記第２のシート（３０）とを、前記第１の折り部（１５，２５）と前記第２の折り部（３５）とで固定する固定工程（＃１０７）と、を含む冊子の作製方法である。
請求項７の発明は、第１のロール状シート（８１，８３）に固定情報を印刷する第１の印刷工程（＃２０１）と、第２のロール状シート（８２）に可変情報を印刷する第２の印刷工程（＃２０２）と、前記第１の印刷工程（＃２０１）で印刷された複数枚の第１のロール状シート（８１，８３）を層状に重ねて丁合いするときに、前記第２の印刷工程（＃２０２）で印刷された第２のロール状シート（８２）を任意の層に割り込ませて丁合いする割り込み丁合い工程（＃２０４）と、前記割り込み丁合い工程（＃２０４）で丁合いされた前記第１及び第２のロール状シート（８１，８２，８３）を裁断する裁断工程（＃２０５）と、前記裁断工程（＃２０５）で裁断された前記第１及び第２のロール状シート（８１，８２，８３）を略中央で折って折り部を形成する折り工程（＃２０７）と、前記裁断工程（＃２０７）より後であって前記折り工程（＃２０７）より前又は前記折り工程（＃２０７）以降に、前記裁断工程（＃２０５）で裁断された前記第１のロール状シート（８１，８３）と前記第２のロール状シート（８２）とを前記略中央又は前記折り部で固定する固定工程（＃２０６）と、を含む冊子の作製方法である。
請求項８の発明は、請求項６又は請求項７に記載の冊子の作製方法において、前記第２の印刷工程（＃２０２）で印刷された第２のシート又は第２のロール状シート（８２）を端側から内側方向に折り畳んで袋状の袋状部（３４）を形成する袋形成工程（＃３０１）を備えること、を特徴とする冊子の作製方法である。
請求項９の発明は、請求項６から請求項８までのいずれか１項に記載の冊子の作製方法において、前記第２の印刷工程（＃２０２）で可変情報（３１ａ，３２ａ）を印刷されて第２のシート（３０）又は第２のロール状シート（８２）に形成された可変情報印刷頁（３１，３２）の少なくとも一部を他から分離可能な分離予定線（３３）を前記可変情報印刷頁（３１，３２）に形成する分離予定線形成工程（＃２０３）を備えること、を特徴とする冊子の作製方法である。
【発明の効果】
【０００６】
以上説明したように、本発明によれば、以下のような効果がある。
（１）本発明による冊子は、層状に重なり固定情報印刷頁を有している複数の第１のシートの任意の層に丁合いされ、可変情報印刷頁を有している少なくとも１枚の第２のシートを備えているので、可変情報が印刷されている可変情報印刷頁が冊子の任意の頁に設けられていて、見落とされにくい。
（２）本発明による冊子は、めくり見開かれた位置で表出している可変情報が、固定情報印刷頁に表出している固定情報に関連しているので、頁をめくることなく、固定情報と可変情報とを見ることができ、読みやすい。
（３）本発明による冊子は、可変情報印刷頁が、固定情報印刷頁と比較して、小口方向への長さ又は天地方向の長さが短いので、その位置で見開きしやすい構成となり、冊子の提供側は、優先的に示したい情報を、読み手側に示しやすくなる。また、可変情報が読み手側固有の情報の場合は、可変情報を効率よく伝えられる。
さらに、本発明による冊子は、見開いた位置で、可変情報印刷頁が、固定情報印刷頁の一部しか覆わずに固定情報が表出していているので、背から同一側に表出している固定情報と可変情報とを関連付けることができる。
さらにまた、可変情報印刷頁が、少なくとも一部を他から分離可能な分離予定線を有するので、可変情報印刷片を分離して、冊子とは別に持ち運びや受け渡しができ、多様な利用ができる。
一方、可変情報印刷頁が、折り畳まれて袋状の袋状部を形成しているので、可変情報印刷頁の一部を切り取った場合であっても、固定情報の一部が失われないメリットがあり、また、袋状部の内面も、情報スペースとして有効に活用でき、さらに、内面の情報は隠れているので、読み手の期待感が高まり、内部を見てみたくなる。
（４）本発明による冊子の作製方法は、固定情報を印刷する第１の印刷工程とは別に、可変情報を印刷する第２の印刷工程を備えているので、固定情報を変更せずに可変情報のみを変更でき、冊子の全てを改めて作製し直す必要がない。
また、固定情報印刷頁を有している複数枚の第１のシートを層状に重ねて丁合いするときに、第２の印刷工程で可変情報を印刷された可変情報印刷頁を有している第２のシートを任意の層に割り込ませて丁合いするので、冊子の厚みにかかわらず製本することができ、可変情報が印刷されている可変情報印刷頁を、冊子の任意の頁に容易に設けることができる。
（５）本発明による冊子の作製方法は、固定情報が印刷されている複数枚の第１のロール状シートを層状に重ねて丁合いするときに、第２の印刷工程で可変情報が印刷されている第２のロール状シートを任意の層に割り込ませて丁合いするので、上記（４）の場合と同様にして、ロール状シートから本発明による冊子を作製できる。
（６）本発明による冊子の作製方法は、袋状部を別工程で作製するので、袋状部の差し替えが容易である。
【発明を実施するための最良の形態】
【０００７】
本発明は、可変情報を印刷した頁がある場合であっても、見落とされず読みやすい冊子を提供するという目的を、複数の商品情報印刷頁の任意の頁間に割り込み丁合いされた個別価格情報印刷頁が、商品情報印刷頁と比較して、小口方向への長さが短く、かつ、めくり見開かれた位置で、表出している個別価格情報が、商品情報印刷頁に表出している商品情報に関連することによって実現する。
【実施例１】
【０００８】
以下、図面等を参照して、本発明の実施例をあげて、さらに詳しく説明する。
図１は、本発明の実施例１によるカタログ１を示す図であって、図１（ａ）は、斜視図、図１（ｂ）は、カタログ１を分解した状態の上面図である。
カタログ１は、図１に示すように、２枚の第１のシート１０，２０と、第１のシート１０，２０と層状に重ねられた１枚の第２のシート３０と、第１のシート１０，２０と第２のシート３０とを固定する固定部４０とを備えている。
【０００９】
図１に示すように、２枚のうち、一方の第１のシート１０は、カタログ１の最も外側に設けられ、略中央を頁の境界として２つ折りしている第１の折り部１５が形成されており、固定情報印刷頁として商品情報印刷頁を両面に備え、これらのうち、商品情報印刷頁１１を第１のシート１０の手前面左側半分の頁に備えている。
また、他方の第１のシート２０は、カタログ１の最も内側に設けられ、略中央を頁の境界として２つ折りしている第１の折り部２５が形成されており、固定情報印刷頁として商品情報印刷頁を両面に備え、これらのうち、商品情報印刷頁２２を第１のシート２０の裏面左側半分の頁に備えている。
【００１０】
第２のシート３０は、２枚の第１のシート１０，２０に挟まれてカタログ１に設けられ、略中央を頁の境界として２つ折りしている第２の折り部３５が形成されていて、商品情報印刷頁１１，２２等と比較してカタログ１の背から略垂直方向の小口方向への長さが半分（ｘ１＝ｘ０／２）であり、また、可変情報印刷頁として個別価格情報印刷頁３１，３２等を両面に備えている。
個別価格情報印刷頁３１は、第２のシート３０の手前面左側半分の頁に、個別価格情報印刷頁３２は、第２のシート３０の裏面左側半分の頁にそれぞれ備えられている。
【００１１】
商品情報印刷頁１１，２２等は、各顧客や各店舗に共通して示される固定情報として、商品や店舗の情報を文字，図及び写真等で示している商品情報１１ａ，１１ｂ，２２ａ，２２ｂ等が印刷されている（図２参照）。
個別価格情報印刷頁３１，３２等は、顧客や店舗に応じた商品価格や割引率等を示す個別価格情報３１ａ，３２ａ等が印刷されている（同じく、図２参照）。
【００１２】
固定部４０は、第１のシート１０，２０と第２のシート３０とを、天側から３分の１及び３分の２の位置で、第１及び第２の折り部１５，２５，３５に貫通させた針金を折り曲げて密着させたステッチで固定している。
【００１３】
図２は、実施例１のカタログ１を見開いた状態を示す平面図である。
商品情報印刷頁１１は、図２に示すように、カタログ１の背側半分の領域に商品情報１１ａが、小口側半分の領域に商品情報１１ｂが印刷されている。
商品情報印刷頁２２は、カタログ１の背側半分の領域に商品情報２２ａが、小口側半分の領域に商品情報２２ｂが印刷されている。
【００１４】
個別価格情報３２ａは、図２（ａ）に示すように、固定部４０を中心にして、個別価格情報印刷頁３２を上面にして、その後ろ側に位置する商品情報印刷頁２２に重ねてめくり見開かれた位置で、前側及び後ろ側の商品情報印刷頁１１，２２に表出した商品情報１１ａ，１１ｂ，２２ｂと共に認識可能に表出している。
個別価格情報３２ａは、商品情報１１ａ，２２ｂが文字，図及び写真等で示している商品を安く購入できる情報や、又は、店舗で役務の提供を安く受けることができる情報など、商品情報１１ａ，２２ｂに関連する価格，割引率及び所在地等を示す情報を、顧客に応じて示している。
【００１５】
また、図２（ｂ）に示すように、図２（ａ）の見開かれた状態から、固定部４０を中心にして、個別価格情報印刷頁３１を上面にして左側の商品情報印刷頁１１に重ねた場合は、個別価格情報３１ａが、前側及び後ろ側の商品情報印刷頁１１，２２に表出している商品情報１１ｂ，２２ａ，２２ｂと共に認識可能に表出している。
なお、この個別価格情報３１ａも、上記のように、商品情報１１ｂ，２２ａについての関連情報を、顧客に応じて示している。
【００１６】
このように、実施例１によるカタログ１は、めくり見開かれた位置で表出している個別価格情報３１ａ，３２ａが、同様に表出している商品情報１１ａ，２２ｂ又は商品情報１１ｂ，２２ａに関連していることにより、頁をめくる手間を省き、個別価格情報３１ａ，３２ａが見落とされることなく、しかも、読みやすくなった。
また、個別価格情報印刷頁３１，３２が商品情報印刷頁１１，２２より短い（ｘ１）ことから、その位置で見開きしやすく、カタログ１の提供側は、個別価格情報３１ａ，３２ａや商品情報１１ａ，１１ｂ，２２ａ，２２ｂを読み手側に優先的に示しやすくなった。
なお、個別価格情報印刷頁３１，３２が重なって隠れてしまう部分の商品情報１１ａ，２２ａに商品，店舗の説明やメニュー表等を印刷し、隠れない部分の商品情報１１ｂ，２２ｂに目に止まりやすい商品，店舗の写真等を印刷すれば、アイキャッチ効果が高くなる。
【実施例２】
【００１７】
図３は、枚葉紙によって形成されている実施例２によるカタログの見開いた状態を示す平面図である。
なお、前述した実施例１と同様な機能を果たす部分には、同一の符号又は末尾に統一した符号を付して、重複する説明や図面を適宜省略する。
実施例２によるカタログは、図３に示すように、実施例１と比較して、個別価格情報印刷頁３２に対して、個別価格情報３２ａのうち、商品情報１１ａ，２２ｂに示されている商品，店舗に関連している割引価格や地図やクーポン券等が印刷されている印刷片毎に、基材である個別価格情報印刷頁３２から分離可能なミシン目３３が形成されている。
【００１８】
図４は、枚葉紙によって形成されている実施例２によるカタログの作製装置を示したブロック図であって、加工形態が分かるように、第１及び第２のシート２０（＝１０），３０の形態を併記した図である。
実施例２によるカタログの作製装置は、図４に示すように、印刷機５０ａ，５０ｂと、折り機５１ａ，５１ｂと、コレータ６０と、中綴じ製本機７０等とを備えている。
【００１９】
コレータ６０は、帳票の加工を行うものであって、インクジェットプリンタ６１と、ミシン６２と、折り機６３等とを有している。コレータ６０は、第２のシート３０に個別価格情報３１ａ，３２ａを印刷して作製した折り丁を中綴じ製本機７０に送る。
中綴じ製本機７０は、送られてきた折り丁を中綴じしてカタログを完成させるものであって、フィーダ部７１と，丁合い機７２と，針金を用いて固定する固定装置であるステッチャ７３と，化粧裁ちをするトリマ７４等とを有する。
フィーダ部７１は、第１及び第２のシート１０，２０，３０を受け付け、丁合い機へ給紙するものであって、フィーダ７１Ａ，フィーダ７１Ｂ，フィーダ７１Ｃを有している。
【００２０】
図５は、枚葉紙によって形成されている実施例２によるカタログの作製方法を示す工程図である。
図４，図５に示すように、第１の印刷工程＃１０１は、印刷機５０ａを用いて第１のシート１０に商品情報１１ａ，１１ｂ等を印刷して商品情報印刷頁１１を形成し、印刷機５０ｂを用いて第１のシート２０に商品情報２２ａ，２２ｂ等を印刷して商品情報印刷頁２２を形成する。
第１の折り工程＃１０２は、第１の印刷工程＃１０１で印刷された第１のシート１０，２０を略中央で２つ折りにして、第１の折り部１５，２５を形成し、フィーダ７１Ａ，７１Ｃに送る。
【００２１】
第２の印刷工程＃１０３は、インクジェットプリンタ６１を用いて第２のシート３０に個別価格情報３１ａ，３２ａを印刷して、個別価格情報印刷頁３１，３２を形成する。
分離予定線形成工程＃１０４は、第２の印刷工程＃１０３で第２のシート３０に形成された個別価格情報印刷頁３１，３２に対して、ミシン６２を用いて、個別価格情報３１ａ，３２ａの印刷片毎に、基材である個別価格情報印刷頁３１，３２から分離可能なミシン目３３を形成する。
第２の折り工程＃１０５は、折り機６３を用いて、分離予定線形成工程＃１０４でミシン目３３を形成された第２のシート３０を、略中央で２つ折りにして、第２の折り部３５を形成しフィーダ７１Ｂに送る。
【００２２】
割り込み丁合い工程＃１０６は、丁合い機７２を用いて、フィーダ７１Ａ，７１Ｃから給紙された第１のシート１０，２０を層状に重ねて丁合いするときに、フィーダ７１Ｂから給紙された第２のシート３０を、任意の層として第１のシート１０，２０の間に割り込ませて丁合いする。
固定工程＃１０７は、割り込み丁合い工程＃１０６で丁合いされた第１のシート１０，２０と第２のシート３０とを、ステッチャ７３を用いて、第１及び第２の折り部１５，２５，３５に貫通させた針金を折り曲げ密着させて固定する。
仕上げ工程＃１０８は、固定工程＃１０７で固定された第１のシート１０，２０と第２のシート３０とを、トリマ７４を用いて寸法通りに正確に裁断する。
【００２３】
このように、実施例２によれば、図３に示すように、ミシン目３３が設けられているので、クーポン券，割引券，地図等をカタログから分離して持ち運びサービスの享受等ができ、個別価格情報３１ａ，３２ａの利用態様が広がった。
また、図４，図５に示すように、インクジェットプリンタ６１は、印刷機５０ａ，５０ｂによって印刷される情報に影響されずに印刷できるので（＃１０３）、商品情報１１ａ，１１ｂ，２２ａ，２２ｂ等の原稿を修正することなく、個別価格情報３１ａ，３２ａについて、変更及び顧客や店舗等に応じて修正することができた。
さらに、フィーダ７１Ａ，７１Ｂ，７１Ｃは、第１及び第２のシート１０，２０，３０を１枚ずつ丁合いするので（＃１０６）、カタログの厚みにかかわらず、商品情報印刷頁１１，２２に近接して個別価格情報印刷頁３１，３２を容易に設けることが可能となり、労力を抑えて、見落とされにくく読み易いカタログを作製することが可能となった。
【実施例３】
【００２４】
図６は、実施例３によるカタログの作製装置を示すブロック図である。
なお、前述した実施例２と同様な機能を果たす部分には、同一の符号又は末尾に統一した符号を付して、重複する説明や図面を適宜省略する。
実施例３によるカタログの作製装置は、図６に示すように、帳票の加工を行うコレータ８０と、第２のロール状シート８２と、インクジェットプリンタ６１と、ミシン６２と、折り機８５等とを備えていて、コレータ８０は、第１のロール状シート８１，８３と、カッタ８４等とを備えている。
【００２５】
図７は、実施例３によるカタログの作製方法を示す工程図である。
第１の印刷工程＃２０１は、印刷機５０ａ，５０ｂを用いて（図４参照）第１のロール状シート８１，８３に商品情報１１ａ，１１ｂ，２２ａ，２２ｂ（図３参照）を印刷する。
第２の印刷工程＃２０２は、インクジェットプリンタ６１を用いて、第２のロール状シート８２に個別価格情報３１ａ，３２ａを印刷する。第２のロール状シート８２は、第１のロール状シート８１，８３に比べて、ロール状シートが巻き取られている方向に略垂直の幅方向の長さが短い。
分離予定線形成工程＃２０３は、ミシン６２を用いて、第２の印刷工程＃２０２で印刷された第２のロール状シート８２にミシン目３３を形成する。
割り込み丁合い工程＃２０４は、任意の層として、第１の印刷工程＃２０１で印刷された第１のロール状シート８１，８３の間に、分離予定線形成工程＃２０３でミシン目３３を形成された第２のロール状シート８２を割り込ませて重ねる。
裁断工程＃２０５は、割り込み丁合い工程＃２０４で丁合いされた第１及び第２のロール状シート８１，８２，８３を、カッタ８４を用いて、これらロール状シート８１，８２，８３の送り方向に略垂直に裁断する。
【００２６】
固定工程＃２０６は、裁断工程＃２０５で裁断された第１及び第２のロール状シート８１，８２，８３のそれぞれの略中央に線状に糊等の接着材を塗布することによって固定する。
折り工程＃２０７は、固定工程＃２０６で固定された第１及び第２のロール状シート８１，８２，８３を折り機８５によって略中央で折って、折り部１５，２５，３５を形成する。
【００２７】
実施例３によれば、枚葉紙を用いる実施例２の場合と同様に、ロール状シート８１，８２，８３を用いてもカタログの作製が可能となった。
【実施例４】
【００２８】
図８は、本発明の実施例４によるカタログ１Ａを示す図であり、図９は、本発明の実施例４によるカタログ１Ａを見開いた状態で示す図であり、図１０は、本発明の実施例４によるカタログ１Ａの一部を切り取った状態を示す図である。
実施例４によるカタログ１Ａは、図８（ａ）に示すように、第２のシート３０Ａが折り畳まれて袋状の袋状部３４を形成しており、その袋状部３４は、可変情報印刷頁としての個別情報印刷頁３１，３２を両面に備えている。
個別情報印刷頁３１，３２の外側には、図８（ｂ）に示すように、店舗等の地図情報３１ｂ，３２ｂが印刷され、内側には、クーポン券等のクーポン情報３１ｃ，３２ｃが印刷されている。
また、袋状部３４の個別情報印刷頁３１，３２は、商品情報印刷頁１１，２２等と比較して、カタログ１Ａの背から略垂直方向の小口方向への長さが半分である。
【００２９】
そして、このカタログ１Ａを左側から１枚めくると、図９（ａ）に示すように、商品情報１１ａ，１１ｂ，２２ｂ、及び、地図情報３２ｂが表出する。
小口の短い頁（個別情報印刷頁３２）には、左の頁の商品情報１１ａ，１１ｂに対応した地図情報３２ｂが併記されているので、左側（図中Ａ部分）は、実質１頁以上の情報を与える。
また、小口の短い頁は、右側の頁を一部隠しているが、その右側（図中Ｂ部分）には、次の頁の情報があるため、次の頁に有効な情報があることを期待させ、小口の短い頁をめくる気持ちにさせる効果がある。
【００３０】
さらに、小口の短い頁を左側にめくると、図９（ｂ）に示すように、商品情報１１ｂ，２２ａ，２２ｂ、及び、地図情報３１ｂが表出する。
小口の短い頁には、右の頁の商品情報２２ａ，２２ｂに対応した地図情報３１ｂが併記されているので、右側（図中Ｃ部分）は、実質１頁以上の情報を与え、左側（図中Ｄ部分）にも前の頁の情報があるため、小口の短い頁を元に戻してみたい気持ちにさせる効果がある。
【００３１】
しかも、この小口が短い頁は、袋状となっているため、例えば、図１０に示すように、左側の頁用の部分の一部を切り離しても、右側の頁に関わる情報を損なうことがない。
具体的には、切り離した部分の表面に「Ｃ店の地図情報」が、裏面に「Ｃ店のクーポン情報」が印刷されているので、一枚で２つの情報を得られる利点があり、また、このようにＣ店に対応する部分を切り離したとしても、その裏側にあるＦ店に対応する部分は、カタログ１Ａに残る。
また、袋の内側であるという性質（外から一見しても見えない）といったところから、クーポン的な性質のほか、当たりくじといった景品的な情報を付加することも可能である。
【００３２】
次に、実施例４のカタログ１Ａの作製方法を説明する。
図１１は、本発明の実施例４によるカタログ１Ａの作製装置を示すブロック図である。
実施例４によるカタログ１Ａの作製装置は、実施例３のカタログの作製装置（図６参照）と比較して、ミシン６２と第１のロール状シート８１との間に、第２のロール状シート８２から搬送されてきたシートを両端側から内側方向に折り畳むプラウ８６が設置されている点が異なる。
また、第２のロール状シート８２は、その幅方向の長さが、第１のロール状シート８１，８３と同様のものである。
【００３３】
図１２は、本発明の実施例４によるカタログ１Ａの作製方法を示す工程図である。
全工程は、実施例３のもの（図７参照）と略同様であるが、分離予定線形成工程＃２０３と割り込み丁合い工程＃２０４との間に、第２のロール状シート８２を両端側から内側方向に折り畳んで袋状の袋状部３４を形成する袋形成工程＃３０１が追加されており、上述したカタログの作製装置によって、この工程に沿いながら、カタログ１Ａを作製する。
【００３４】
このように、実施例４によれば、上述した各実施例と同様に、商品情報印刷頁１１，２２と近い位置に、袋状の個別情報印刷頁３１，３２を容易に配置することができ、安価でフレキシブルなカタログ１Ａを提供することができる。
また、袋状部３４は、別の折り丁であるので、容易に差し替えが可能であり、変化する情報に対しては、この袋状部３４を差し替えるだけで、対応可能である。
さらに、同じ大きさのロール状シートを用いて、カタログ１Ａを作製することができるので、特殊な資材の選定は不要であり、製造コストを抑えることができる。
【００３５】
（変形例）
以上説明した実施例に限定されることなく、種々の変形や変更が可能であって、それらも本発明の均等の範囲内である。
【００３６】
例えば、上述した各実施例において、カタログを示しているが、冊子であればこれに限定されず、雑誌，週刊誌，月刊誌等の刊行物、パンフレット，アルバム（卒業記念アルバム等）、絵本、図鑑、教科書、テキスト、物品の取扱説明書、文庫、単行本、辞書、辞典等であってもよい。また、その材質も紙に限定されず、フィルム等の積層可能な材質であればよい。
【００３７】
固定情報として、商品情報１１ａ，１１ｂ，２２ａ，２２ｂについて商品や店舗の情報を挙げているが、各顧客や各店舗に共通に示す情報等であれば、これに限定されず、商品，役務及び店舗の内容一覧等を文字で示す文字情報や、これらを図面や写真等で示す画像情報等であってもよい。
また、可変情報として、個別価格情報３１ａ，３２ａについて個別の商品価格等の情報や、地図情報３１ｂ，３２ｂ、クーポン情報３１ｃ，３２ｃを挙げているが、これに限定されず、時期や顧客や店舗等に応じた商品や役務の価格等を文字で示している文字情報や、割引券等といった付加サービス情報や、その他、これらを図面や写真等で示す画像情報等を含む情報であってもよい。なお、商品情報１１ａ，１１ｂ，２２ａ，２２ｂ等と関連していることが好ましい。
【００３８】
上述した各実施例において、個別価格情報印刷頁（個別情報印刷頁）３１，３２は、商品情報印刷頁１１，２２と比較して、カタログの背から略垂直方向の小口方向への長さが半分（ｘ１＝ｘ０／２）であるが、短ければこの長さに限定されず、また、これに略直交する天地方向の長さが短くてもよく、さらに、矩形でない場合であっても、挟まれて商品情報印刷頁１１，２２内に納まる大きさであればよい。
【００３９】
上述した各実施例において、第２の印刷工程は、インクジェットプリンタ６１を用いているが、印刷ができれば、これに限定されず、その他のプリンタを用いてもよい。
【００４０】
実施例２において、第２の印刷工程＃１０３〜第２の折り工程＃１０５は、第１の印刷工程＃１０１より前であってもよいし、第１の印刷工程＃１０１〜第１の折り工程＃１０２と並行していてもよい。
また、第２のシート３０は、インラインによって、個別価格情報３１ａ，３２ａを印刷され（＃１０３）、その後折り丁としてフィーダ７１Ｂに供給されている（＃１０５）が、オフラインによって、印刷されて供給されてもよい。
【００４１】
実施例２において、図４，図５に示すように、第１のシート１０，２０と、第２のシート３０とは、ステッチャ７３による中綴じによって固定されているが（＃１０７）、これに限定されず、線糊による固定工程を設け、貼り合わせによって固定されてもよい。
【００４２】
実施例３及び実施例４において、別途給紙部（第２のロール状シート８２，インックジェットプリンタ６１，ミシン６２）を増設して、第２のロール状シート８２を給紙しているが、既設コレータ８０にインクジェットプリンタ等を搭載できれば、給紙方法はこれに限られない。
【００４３】
実施例３及び実施例４において、固定工程＃２０６は、折り工程＃２０７より前に行われているが、これに限定されず、折り工程＃２０７より後でもよいし、折り工程＃２０６で折り部１５，２５，３５を形成しながら、同時に並行して、固定工程＃２０６で順次折り部に線糊を塗布するなどして固定してもよい。また、固定工程＃２０６は、線糊による貼り合わせによって固定しているが、裁断工程＃２０５と折り工程＃２０７との間にステッチャ７３による固定工程を設けることにより、略中央を通常の中綴じにすることで固定してもよいし、本発明による冊子の作製が可能であれば、固定工程＃２０６と折り工程＃２０７との相互の順序は限定されない。
【００４４】
実施例３及び実施例４において、各Ｄ，Ｅ，Ｆロールからなる第１のロール状シート８１，８３及び第２のロール状シート８２をそれぞれ用意するのではなく、これらが一体となった大ロール（不図示）を用意し、大ロールの給紙方向に略平行に裁断するスリット工程を経て、各Ｄ，Ｅ，Ｆロールを作製してもよい。
【００４５】
実施例２，実施例３及び実施例４において、コレータ６０，８０を用いているが、帳票の加工が可能であれば、これらに限定されない。
【００４６】
実施例４において、袋状部３４は、その背部分だけを綴じ合わせ、折り畳まれている頁を接着せずに、簡単に広げられるようなものにしてもよい。
【図面の簡単な説明】
【００４７】
【図１】本発明の実施例１によるカタログ１を示す図である。
【図２】本発明の実施例１によるカタログ１の内容を示す図である。
【図３】本発明の実施例２によるカタログの内容を示す図である。
【図４】本発明の実施例２によるカタログの作製装置を示すブロック図である。
【図５】本発明の実施例２によるカタログの作製方法を示す工程図である。
【図６】本発明の実施例３によるカタログの作製装置を示すブロック図である。
【図７】本発明の実施例３によるカタログの作製方法を示す工程図である。
【図８】本発明の実施例４によるカタログ１Ａを示す図である。
【図９】本発明の実施例４によるカタログ１Ａの内容を示す図である。
【図１０】本発明の実施例４によるカタログ１Ａの一部を切り取った状態を示す図である。
【図１１】本発明の実施例４によるカタログ１Ａの作製装置を示すブロック図である。
【図１２】本発明の実施例４によるカタログ１Ａの作製方法を示す工程図である。
【符号の説明】
【００４８】
１，１Ａ    カタログ
１０，２０    第１のシート
１１，２２    商品情報印刷頁
１１ａ，１１ｂ，２２ａ，２２ｂ  商品情報
３０，３０Ａ    第２のシート
３１，３２    個別価格情報印刷頁，個別情報印刷頁
３１ａ，３２ａ    個別価格情報
３１ｂ，３２ｂ    地図情報
３１ｃ，３２ｃ    クーポン情報
３３    ミシン目
３４    袋状部
１５，２５，３５    折り部
４０    固定部
５０ａ，５０ｂ    印刷機
５１ａ，５１ｂ，６３，８５    折り機
６１    インクジェットプリンタ
６２    ミシン
７０    中綴じ製本機
７１    フィーダ部
７２    丁合い機
７３    ステッチャ
７４    トリマ
８１，８３    第１のロール状シート
８２    第２のロール状シート
８４    カッタ
８６    プラウ
【図１】
2006069189.tif 000003
【図２】
2006069189.tif 000004
【図３】
2006069189.tif 000005
【図４】
2006069189.tif 000006
【図５】
2006069189.tif 000007
【図６】
2006069189.tif 000008
【図７】
2006069189.tif 000009
【図８】
2006069189.tif 000010
【図９】
2006069189.tif 000011
【図１０】
2006069189.tif 000012
【図１１】
2006069189.tif 000013
【図１２】
2006069189.tif 000014